(57)【要約】【課題】スケルチやトランキングシステムにおいて、ディジタル音声信号からサブオーディオ信号を除去する。【解決手段】サブオーディオ信号検出器２２は、ＡＤコンバータ２１が変換したディジタル信号から、音声信号に重畳していないサブオーディオ信号成分を取得し、取得したサブオーディオ信号成分に基づいて、サブオーディオ信号を再生成する。遅延器２３は、ＡＤコンバータ２１が変換したディジタル信号を、サブオーディオ信号検出器２２の処理時間だけ遅延させる。減算器２４は、遅延器２３が遅延させたディジタル信号から、サブオーディオ信号検出器２２が検出したサブオーディオ信号を差し引く。【選択図】図１
2009246430.tif 000002
【特許請求の範囲】
【請求項１】
受信処理として、キャリア周波数に対して周波数反転が行われた音声信号にサブオーディオ信号が重畳した信号を受信して復調する受信処理部と、
前記受信処理部が復調した信号から、前記サブオーディオ信号を検出するサブオーディオ信号検出部と、
前記受信処理部が復調した信号から前記サブオーディオ信号検出部が検出したサブオーディオ信号を差し引き、前記周波数反転が行われた音声信号を取得する減算部と、
前記減算部が取得した前記音声信号の周波数を反転して周波数反転が行われる前の元の音声信号を取得する反転デスクランブル部と、を備えた、
ことを特徴とする無線通信装置。
【請求項２】
前記サブオーディオ信号検出部は、
前記受信処理部が復調した信号に対して帯域制限を行い、前記周波数反転が行われた音声信号を除去し、サブオーディオ信号成分を取得するフィルタと、
前記フィルタが取得したサブオーディオ信号成分に基づいて、元のサブオーディオ信号を再生成するサブオーディオ信号再生成部と、を備え、
前記サブオーディオ信号再生成部が再生成した元のサブオーディオ信号を、検出したサブオーディオ信号とする、
ことを特徴とする請求項１に記載の無線通信装置。
【請求項３】
前記受信処理部が復調した信号を、前記サブオーディオ信号検出部の処理時間だけ遅延させる遅延部を備え、
前記減算部は、前記遅延部が遅延させた信号を前記受信処理部が復調した信号として、前記遅延部が遅延させた当該信号から、前記サブオーディオ信号検出部が検出したサブオーディオ信号を差し引き、前記周波数反転が行われた音声信号を取得する、
ことを特徴とする請求項１又は２に記載の無線通信装置。
【請求項４】
受信処理として、周波数反転が行われた音声信号にサブオーディオ信号が重畳した信号を受信して復調するステップと、
前記復調した信号から、前記サブオーディオ信号を検出するステップと、
前記復調した信号から、前記検出したサブオーディオ信号を差し引き、前記周波数反転が行われた音声信号を取得するステップと、
取得した前記周波数反転が行われた音声信号の周波数を反転して前記周波数反転が行われる前の元の音声信号を取得するステップと、を備えた、
ことを特徴とする無線通信装置の処理方法。
【発明の詳細な説明】
【技術分野】
【０００１】
本発明は、無線通信装置及び無線通信装置の処理方法に関するものである。
【背景技術】
【０００２】
一般に無線通信では、原則として受信者を制限できないため、特定の受信者以外に通信の内容を知られたくない場合は、暗号を用いた秘話通信方法が有効である。
【０００３】
秘話通信方法には、音声信号に周波数軸上にスクランブルを行う方式があり、そのスクランブル方法のひとつに、音声信号の周波数を反転させる方法があり、この方法を用いた無線通信装置がある（例えば、特許文献１参照）。
【０００４】
この方法は、例えば、図８（ａ）に示すようなスペクトラム特性を有する３００〜３０００Ｈｚの音声信号Ｓound11が無線通信装置の送信部に入力された場合、図８（ｂ）に示すように、３００Ｈｚを３０００Ｈｚ、３０００Ｈｚを３００Ｈｚとした出力信号Ｓout11を出力するといった具合に、入力された音声信号Ｓound11のスペクトラム特性を反転させる方法である。
【０００５】
この方法は、あるキャリア周波数に対して、入力信号で振幅変調を行うことで実現される。この方法は、原理的にはＳＳＢ（Single Side Band；単側波帯）通信方式となっている。
【０００６】
原理は以下の通りである。尚、説明のため、入力信号周波数ｆｓを３００Ｈｚ〜３０００Ｈｚ、キャリア周波数ｆｃを３５００Ｈｚとする。
【０００７】
無線通信装置の送信部は、３００Ｈｚ〜３０００Ｈｚの音声入力信号を帯域制限し、３５００Ｈｚのキャリア信号で振幅変調を行う。この処理は、次の数式（１）によって表される。
2sinωct×sinωst＝−cos(ωc＋ωs)t＋cos(ωc−ωs)t
但し、ωc＝２πｆｃ
ωs＝２πｆｓ
・・・・・・・・・・・・（１）
【０００８】
この変調により、変調波のスペクトラムは、図８（ｃ）に示すようなＤＳＢ（Double Side Band；両側波帯）の信号Ｄsb11となる。
【０００９】
この変調波に対してＬＰＦ（ローパスフィルタ）を用いてＬＳＢ（Lower Side Band；下側波帯）成分のみを取り出すことにより、図８（ｄ）に示すような３００Ｈｚ〜３０００Ｈｚで入力された音声信号のスペクトラムを反転させた信号Ｉnv11が得られる。
【００１０】
無線通信装置の受信部は、この図８（ｄ）に示すようなスペクトラムの信号Ｉnv11を受信すると、送信装置と同じキャリア周波数ｆｃのキャリア信号で再度振幅変調を行う。この変調により、図９（ａ）に示すようなＤＳＢの信号Ｄsb12が得られる。
【００１１】
受信部は、ＬＰＦを用いて、このＤＳＢの信号Ｄsb12からＬＳＢ成分のみを取り出すことにより、図９（ｂ）に示すような再度、スペクトラムを反転させた信号、即ち、スペクトラムが元の音声信号Ｓound11と同等の音声信号Ｓound12を取得する。
【特許文献１】実開昭６０−１２７０５９号公報（第１頁、第２図、第３図）
【発明の開示】
【発明が解決しようとする課題】
【００１２】
しかし、このような無線通信装置においては、スケルチやトランキングシステムを実現させるため、ＣＴＣＳＳ（Continuous Tone Controlled Squelch System）、ＤＣＳ（Digital Code Squelch）、ＬＴＲ（Logic Trunked Radio）といった人間の耳には聞こえない、あるいは、聞こえにくい低周波の信号（サブオーディオ信号）を、音声信号に重畳して送信することが行われている。
【００１３】
一般的に音声信号では、３００〜３０００Ｈｚ程度の帯域が使用されることが多く、また、ＬＴＲの周波数帯域は３００Ｈｚ以上にまで及ぶため、このようなサブオーディオ信号を使う場合に、図１０（ａ）に示すように、サブオーディオ信号Ｓub11の帯域と音声信号Ｓound11の帯域とが重なってしまうことがある。
【００１４】
この場合、受信部のスピーカからは、サブオーディオ信号Ｓub11の低い周波数の音が出力されてしまうことになる。
【００１５】
図１０（ｂ）に示すように、周波数反転スクランブルを行った信号Ｉnv11に、サブオーディオ信号Ｓub11を重畳させた場合、受信部が、音声信号をＬＰＦでカットしないようにしてスクランブルを解除すると、図１０（ｃ）に示すように、反転したサブオーディオ信号成分Ｓub12が、音声信号Ｓound12の３ｋＨｚ付近の帯域に重なってしまう。
【００１６】
この場合、受信部のスピーカからは、音声の他に、この高いサブオーディオ信号成分Ｓub12による周波数の音が出力されてしまうことになる。このような高い周波数の音は、低い周波数の音に比べ、人間にとっては非常に耳障りな音であるため、これを除去することが望まれる。
【００１７】
本発明は、このような従来の問題点に鑑みてなされたもので、音声信号からサブオーディオ信号を除去することが可能な無線通信装置及び無線通信装置の処理方法を提供することを目的とする。
【課題を解決するための手段】
【００１８】
この目的を達成するため、本発明の第１の観点に係る無線通信装置は、
受信処理として、キャリア周波数に対して周波数反転が行われた音声信号にサブオーディオ信号が重畳した信号を受信して復調する受信処理部と、
前記受信処理部が復調した信号から、前記サブオーディオ信号を検出するサブオーディオ信号検出部と、
前記受信処理部が復調した信号から前記サブオーディオ信号検出部が検出したサブオーディオ信号を差し引き、前記周波数反転が行われた音声信号を取得する減算部と、
前記減算部が取得した前記音声信号の周波数を反転して周波数反転が行われる前の元の音声信号を取得する反転デスクランブル部と、を備えたことを特徴とする。
【００１９】
前記サブオーディオ信号検出部は、
前記受信処理部が復調した信号に対して帯域制限を行い、前記周波数反転が行われた音声信号を除去し、サブオーディオ信号成分を取得するフィルタと、
前記フィルタが取得したサブオーディオ信号成分に基づいて、元のサブオーディオ信号を再生成するサブオーディオ信号再生成部と、を備え、
前記サブオーディオ信号再生成部が再生成した元のサブオーディオ信号を、検出したサブオーディオ信号としてもよい。
【００２０】
前記受信処理部が復調した信号を、前記サブオーディオ信号検出部の処理時間だけ遅延させる遅延部を備え、
前記減算部は、前記遅延部が遅延させた信号を前記受信処理部が復調した信号として、前記遅延部が遅延させた当該信号から、前記サブオーディオ信号検出部が検出したサブオーディオ信号を差し引き、前記周波数反転が行われた音声信号を取得するようにしてもよい。
【００２１】
本発明の第２の観点に係る無線通信装置の処理方法は、
受信処理として、周波数反転が行われた音声信号にサブオーディオ信号が重畳した信号を受信して復調するステップと、
前記復調した信号から、前記サブオーディオ信号を検出するステップと、
前記復調した信号から、前記検出したサブオーディオ信号を差し引き、前記周波数反転が行われた音声信号を取得するステップと、
取得した前記周波数反転が行われた音声信号の周波数を反転して前記周波数反転が行われる前の元の音声信号を取得するステップと、を備えたことを特徴とする。
【発明の効果】
【００２２】
本発明によれば、音声信号からサブオーディオ信号を除去することができる。
【発明を実施するための最良の形態】
【００２３】
以下、本発明の実施の形態に係る無線通信装置を図面を参照して説明する。
本実施形態に係る無線通信装置１の構成を図１に示す。
本実施形態に係る無線通信装置１は、マイク１１と、ＡＤコンバータ（図中、「ＡＤＣ」と記す。）１２と、反転スクランブラ１３と、サブオーディオ信号生成器１４と、スイッチ１５と、加算器１６と、ＤＡコンバータ（図中、「ＤＡＣ」と記す。）１７と、変調回路１８と、アンテナ１９と、復調回路２０と、ＡＤコンバータ２１と、サブオーディオ信号検出器２２と、遅延器２３と、減算器２４と、反転デスクランブラ２５と、ＤＡコンバータ２６と、スピーカ２７と、によって構成される。
【００２４】
尚、反転スクランブラ１３と、サブオーディオ信号生成器１４と、スイッチ１５と、加算器１６と、サブオーディオ信号検出器２２と、遅延器２３と、減算器２４と、反転デスクランブラ２５とは、ＤＳＰ１００によって構成される。
【００２５】
この無線通信装置１は、スケルチやトランキングシステムにおいて、周波数反転した信号とサブオーディオ信号とを同時に使用する場合において、受信した信号に含まれているサブオーディオ信号を検出して除去するように構成されている。
【００２６】
マイク１１は、音声を入力し、入力した音声をアナログ音声信号に変換するものである。
【００２７】
ＡＤコンバータ１２は、マイク１１が変換したアナログ音声信号をディジタル音声信号Ｓound1に変換するものであり、変換したディジタル音声信号Ｓound1を反転スクランブラ１３に供給する。
【００２８】
反転スクランブラ１３は、ＡＤコンバータ１２から供給されたディジタル音声信号Ｓound1に対し、周波数反転を行うことにより、データを攪乱するためのものであり、図２に示すように、キャリア生成器３１と、乗算器３２と、ＬＰＦ（ローパスフィルタ）３３と、を備える。
【００２９】
キャリア生成器３１は、キャリア周波数ｆｃのキャリア信号Ｓｃを生成するものである。
【００３０】
乗算器３２は、ＡＤコンバータ１２から供給されたディジタル音声信号Ｓound1を入力信号（Input）として、数式（１）に従い、キャリア生成器３１が生成したキャリア信号のキャリア周波数ｆｃと音声信号の入力信号周波数ｆｓとを乗算するものである。
【００３１】
ＬＰＦ３３は、乗算器３２が乗算した結果の信号に対して、帯域制限を行い、ＤＳＢの信号からＬＳＢ（Lower Side Band；下側波帯）の信号を取得するものである。
【００３２】
このＬＳＢの信号は、周波数反転した信号Ｉnv1となっており、反転スクランブラ１３は、ＬＰＦ３３の出力信号(Output）を信号Ｉnv1として加算器１６に供給する。
【００３３】
サブオーディオ信号生成器１４は、スケルチやトランキングシステムを実現するため信号として、キャリア周波数ｆｃのサブオーディオ信号Ｓub1を生成するものである。
【００３４】
スイッチ１５は、サブオーディオ信号生成器１４と加算器１６との接続、遮断を行うものである。
【００３５】
加算器１６は、反転スクランブラ１３から出力された信号Ｉnv1とサブオーディオ信号生成器１４からスイッチ１５を介して出力されたサブオーディオ信号Ｓub1とを加算するものであり、加算した信号Ｓt1をＤＡコンバータ１７に供給する。
【００３６】
ＤＡコンバータ１７は、加算器１６から供給された信号Ｓt1をアナログ信号に変換するものであり、変換したアナログ信号を変調回路１８に供給する。
【００３７】
変調回路１８は、ＤＡコンバータ１７から供給されたアナログ信号で搬送波を変調してＲＦ周波数のＲＦ（Radio Frequency）信号を生成するものであり、生成したＲＦ信号をアンテナ１９に供給する。
【００３８】
アンテナ１９は、変調回路１８から供給されたＲＦ信号を電波として送出するとともに、電波を受信して、このＲＦ信号を復調回路２０に供給する。スケルチやトランキングシステムの場合、このＲＦ信号は、キャリア周波数ｆｃに対して周波数反転が行われた信号Ｉnv1にサブオーディオ信号Ｓub1が重畳した信号で搬送波を変調したＲＦ周波数の信号となっている。
【００３９】
このアンテナ１９と復調回路２０とＡＤコンバータ２１とは、受信処理としてこの周波数反転が行われた音声信号にサブオーディオ信号Ｓub1が重畳したＲＦ信号を受信して復調するものである。
【００４０】
復調回路２０は、アンテナ１９から供給されたＲＦ信号を復調するものである。復調回路２０が復調したＲＦ信号はアナログ信号であり、復調回路２０は、復調したアナログ信号をＡＤコンバータ２１に供給する。
【００４１】
ＡＤコンバータ２１は、復調回路２０から供給されたアナログ信号をディジタル信号Ｓt1に変換するものである。
【００４２】
サブオーディオ信号検出器２２は、ＡＤコンバータ２１が変換したディジタル信号Ｓt1からサブオーディオ信号Ｓub1を検出するものである。
【００４３】
サブオーディオ信号検出器２２は、図３に示すように、ＬＰＦ２２ａとサブオーディオ信号再生成部２２ｂと、を備える。
【００４４】
ＬＰＦ２２ａは、ＡＤコンバータ２１によって変換されたディジタル信号Ｓt1に対して帯域制限を行うものである。ＬＰＦ２２ａは、復調された信号の音声信号の帯域を除去するようにカットオフ周波数が設定され、ディジタル信号Ｓt1に含まれるディジタル音声信号Ｓound1を除去することによって帯域制限を行う。そして、ＬＰＦ２２ａは、ディジタル音声信号Ｓound1に重畳していない周波数帯域のサブオーディオ信号成分Ｓub2を取得する。
【００４５】
オーディオ信号再生成部２２ｂは、ＬＰＦ２２ａが取得したサブオーディオ信号成分Ｓub2に基づいて元のサブオーディオ信号Ｓub1を再生成するものである。
【００４６】
ＬＰＦ２２ａが帯域制限を行うと、ディジタル音声信号Ｓound1と重なっているサブオーディオ信号の帯域成分も除去されてしまい、このままでは、検出されたサブオーディオ信号Ｓub1を再生しても送信側（サブオーディオ信号生成器１４）のサブオーディオ信号Ｓub1とは一致しなくなる。
【００４７】
ＬＴＲの場合を例に説明すると、送信されるＬＴＲの波形は、図４（ａ）に示すような波形になる。このＡ部を拡大すると、この波形は、図４（ｂ）に示すような波形になっている。
【００４８】
このＡ部には、高い周波数成分が含まれており、ＬＰＦ２２ａにより高い周波数成分がカットされてしまうと、このＡ部の波形は、図４（ｃ）に示すような波形になってしまう。
【００４９】
このため、サブオーディオ信号再生成部２２ｂは、以下の第１の方法又は第２の方法を用いて、検出したサブオーディオ信号成分Ｓub2から、元のサブオーディオ信号Ｓub1を再生成する。
【００５０】
第１の方法は、例えば、ＬＴＲの場合、デビエーション（deviation；周波数偏移）が決まっているため、サンプル数が設定されたテーブルデータを予め記憶し、信号を置き換える方法である。
【００５１】
図４（ｃ）に示すような波形を有する信号を受信した場合、サブオーディオ信号検出器２２は、受信した信号を、記憶したテーブルデータに従って、図４（ｂ）に示すような波形を有する信号に置き換える。
【００５２】
第２の方法は、検出したサブオーディオ信号Ｓub2を、一旦、「１００１１００１０１・・・」のようなバイナリデータに変換した後に、送信側のサブオーディオ信号生成器１４と同じようにサブオーディオ信号Ｓub1を生成する方法である。
【００５３】
オーディオ信号再生成部２２ｂがこのような処理を行うことにより、再生成されたサブオーディオ信号は、元のサブオーディオ信号Ｓub1と一致する。
【００５４】
サブオーディオ信号検出器２２は、サブオーディオ信号再生成部２２ｂが再生成したサブオーディオ信号Ｓub1を検出したサブオーディオ信号として減算器２４に供給する。
【００５５】
遅延器２３は、ＡＤコンバータ２１が変換したディジタル信号Ｓt1を、サブオーディオ信号検出器２２の処理時間だけ遅延させるものである。サブオーディオ信号検出器２２のＬＰＦ２２ａが帯域制限を行い、サブオーディオ信号再生成部２２ｂがサブオーディオ信号Ｓub1を再生成するのに時間を要する。
【００５６】
遅延器２３は、時間軸上で同期をとるためにＡＤコンバータ２１が変換したディジタル信号Ｓt1を、遅延させてこのサブオーディオ信号検出器２２の処理時間を吸収する。遅延器２３は、遅延させたディジタル信号Ｓd1を減算器２４に供給する。
【００５７】
減算器２４は、遅延器２３が遅延させたディジタル信号Ｓd1からサブオーディオ信号検出器２２が検出したサブオーディオ信号Ｓub1を差し引いて、信号Ｉnv2を取得するものである。この信号Ｉnv2は、反転スクランブラ１３が出力した信号Ｉnv1と同等の信号である。減算器２４は、取得した信号Ｉnv2を反転デスクランブラ２５に供給する。
【００５８】
反転デスクランブラ２５は、減算器２４から供給された信号Ｉnv2に対して、反転デスクランブラ処理として周波数反転を行い、ディジタル音声信号Ｓound2を取得するものである。このディジタル音声信号Ｓound2は、送信側の周波数反転が行われる前の元のディジタル音声信号Ｓound1と同等のものになる。
【００５９】
反転デスクランブラ２５は、反転スクランブラ１３と同じように、図２に示すようなキャリア生成器３１と、乗算器３２と、ＬＰＦ３３と、を備える。
【００６０】
反転デスクランブラ２５のキャリア生成器３１は、反転スクランブラ１３のキャリア生成器３１と同じキャリア周波数ｆｃが３５００Ｈｚのキャリア信号ｆｃを生成する。
【００６１】
乗算器３２は、信号Ｉnv2に対して再度振幅変調を行い、ＤＳＢの信号Ｄsb2を取得する。ＬＰＦ３３は、乗算器３２が取得した信号Ｄsb2に対して帯域制限を行い、ＬＳＢ成分のみを取り出す。
【００６２】
反転デスクランブラ２５は、ＬＰＦ３３が取り出したＬＳＢ成分のみの信号をディジタル音声信号Ｓound2としてＤＡコンバータ２６に供給する。
【００６３】
ＤＡコンバータ２６は、反転デスクランブラ２５から供給されたディジタル音声信号Ｓound2をアナログ音声信号に変換するものであり、変換したアナログ音声信号をスピーカ２７に供給する。
【００６４】
スピーカ２７は、ＤＡコンバータ２６から供給されたアナログ音声信号に基づいて音声を出力するものである。
【００６５】
次に本実施形態に係る無線通信装置１の動作を説明する。
マイク１１は、音声を入力し、入力した音声を、図５（ａ）に示すようなスペクトラム特性を有するアナログの音声信号Ｓound1に変換し、ＡＤコンバータ１２は、マイク１１が変換したアナログの音声信号Ｓound1をディジタルの音声信号Ｓound1に変換する。
【００６６】
反転スクランブラ１３のキャリア生成器３１は、図５（ｂ）に示すようなキャリア周波数ｆｃが３５００Ｈｚのキャリア信号Ｓｃを生成する。
【００６７】
乗算器３２は、ＡＤコンバータ１２から供給されたディジタル音声信号Ｓound1を入力信号（Input）として、数式（１）に示すように、キャリア生成器３１が生成したキャリア信号Ｓｃのキャリア周波数ｆｃと入力されたディジタル音声信号Ｓound1の入力信号周波数ｆｓとを乗算する。
【００６８】
乗算器３２がこのような乗算を行うことにより、反転スクランブラ１３は、図５（ｂ）に示すようなＤＳＢの信号Ｄsb1を取得する。
【００６９】
ＬＰＦ３３は、この信号Ｄsb1に対して帯域制限を行い、反転スクランブラ１３は、この信号Ｄsb1から、ＬＳＢ成分を取り出し、図５（ｃ）に示すようなキャリア周波数ｆｃ＝３５００Ｈｚに対して周波数が反転したスペクトラム特性を有する信号Ｉnv1を取得する。
【００７０】
サブオーディオ信号生成器１４は、図５（ｄ）に示すようなサブオーディオ信号Ｓub1を生成する。
【００７１】
スイッチ１５が閉じられると、サブオーディオ信号生成器１４と加算器１６とが接続され、加算器１６は、反転スクランブラ１３が生成した図５（ｃ）に示すようなスペクトラム特性を有する信号Ｉnv1と、サブオーディオ信号生成器１４が生成した図５（ｄ）に示すようなスペクトラム特性を有するサブオーディオ信号Ｓub1とを加算する。そして、加算器１６は、図５（ｅ）に示すように、信号Ｉnv1にサブオーディオ信号Ｓub1が重畳したディジタル信号Ｓt1を生成する。
【００７２】
ＤＡコンバータ１７は、加算器１６から供給されたディジタル信号Ｓt1をアナログ信号に変換し、変調回路１８は、ＤＡコンバータ１７から供給されたアナログ信号で搬送波を変調してＲＦ信号を生成する。アンテナ１９は、変調回路１８から供給されたＲＦ信号を電波として送出する。
【００７３】
アンテナ１９が、このディジタル信号Ｓt1で変調されたＲＦ信号の電波を受信すると、このＲＦ信号を復調回路２０に供給し、復調回路２０は、アンテナ１９から供給されたＲＦ信号を復調し、復調したアナログ信号をＡＤコンバータ２１に供給する。
【００７４】
ＡＤコンバータ２１は、復調回路２０から供給されたアナログ信号を、図６（ａ）に示すような、ディジタル信号Ｓt2に変換する。アンテナ１９がディジタル信号Ｓt1で変調されたＲＦ信号の電波を受信するため、このディジタル信号Ｓt2は、ディジタル信号Ｓt1と同一のスペクトル特性を有する信号になる。
【００７５】
サブオーディオ信号検出器２２は、このディジタル信号Ｓt2をＡＤコンバータ２１から取得し、ＬＰＦ２２ａは、このディジタル信号Ｓt2に対し、３００Ｈｚのカットオフ周波数で帯域制限を行う。そして、サブオーディオ信号検出器２２は、図６（ｂ）に示すようなサブオーディオ信号成分Ｓub2を取得する。
【００７６】
サブオーディオ信号再生成部２２ｂは、このサブオーディオ信号成分Ｓub2に基づいて、図６（ｃ）に示すようなサブオーディオ信号Ｓub1を再生成する。
【００７７】
減算器２４は、遅延器２３が遅延させた図６（ｄ）に示すようなディジタル信号Ｓd1から、サブオーディオ信号再生成部２２ｂが再生成した図６（ｃ）に示すサブオーディオ信号Ｓub1を差し引き、図６（ｅ）に示すようなスペクトラム特性を有する信号Ｉnv2を取得する。
【００７８】
この信号Ｉnv2は、反転スクランブラ１３が周波数反転した信号Ｉnv1と同一の信号になる。減算器２４は、取得した信号Ｉnv2を反転デスクランブラ２５に供給する。
【００７９】
反転デスクランブラ２５のキャリア生成器３１は、反転スクランブラ１３のキャリア生成器３１と同じキャリア周波数ｆｃが３５００Ｈｚのキャリア信号ｆｃを生成し、乗算器３２は、信号Ｉnv2に対して再度振幅変調を行い、反転デスクランブラ２５は、図７（ａ）に示すようなＤＳＢの信号Ｄsb2を取得する。
【００８０】
ＬＰＦ３３は、このＤＳＢの信号Ｄsb2から、ＬＳＢ成分のみを取り出す。ＬＰＦ３３がＬＳＢ成分のみを取り出すことにより、反転デスクランブラ２５は、図７（ｂ）に示すようなスペクトラム特性を有するディジタル信号Ｓound2を取得する。
【００８１】
このディジタル信号Ｓound2は、図５（ａ）に示すディジタル信号Ｓound1と同等の信号になる。反転デスクランブラ２５は、このディジタル信号Ｓound2をＤＡコンバータ２６に供給する。
【００８２】
ＤＡコンバータ２６は、反転デスクランブラ２５から供給されたディジタル信号Ｓound2をアナログ信号に変換し、スピーカ２７は、ＤＡコンバータ２６から供給されたアナログ信号に基づいて音声を出力する。
【００８３】
以上説明したように、本実施形態によれば、スケルチやトランキングシステムにおいて、周波数反転した信号Ｉnv1とサブオーディオ信号Ｓub1とを同時に使用する場合、受信側でディジタル信号Ｓt2を周波数反転する前に、そのディジタル信号Ｓt2に含まれているサブオーディオ信号Ｓub1を除去するようにした。
【００８４】
従って、ディジタル音声信号Ｓound2から、サブオーディオ信号Ｓub1を除去することができ、スピーカ２７から、反転したサブオーディオ信号成分に基づく高周波ノイズを除去することができる。そして、信号Ｉnv1とサブオーディオ信号Ｓub1とを同時に使用しない場合と比較して同様の音質を得ることができる。
【００８５】
また、サブオーディオ信号検出器２２のサブオーディオ信号再生成部２２ｂは、ＬＰＦ２２ａが音声信号を除去した信号に基づいて元のサブオーディオ信号Ｓub1を再生成するようにした。
【００８６】
従って、再生成されたサブオーディオ信号は、元のサブオーディオ信号Ｓub1と一致し、減算器２４が減算処理を行うことにより、確実にサブオーディオ信号Ｓub1を除去することができる。
【００８７】
また、遅延器２３がディジタル信号を、サブオーディオ信号検出器２２の処理時間だけ遅延させるようにしたので、遅延させたディジタル信号Ｓt1とサブオーディオ信号検出器２２が検出したサブオーディオ信号Ｓub１とを時間軸上で同期させることができ、確実にサブオーディオ信号Ｓub1を除去することができる。
【００８８】
尚、サブオーディオ信号検出器２２を備えることにより、周波数反転スクランブラを行わない場合でも、スピーカ２７から再生されるゴロゴロといった低域のノイズを除去することが可能となる。
【００８９】
尚、本発明を実施するにあたっては、種々の形態が考えられ、上記実施の形態に限られるものではない。
例えば、上記実施形態では、サブオーディオ信号と周波数反転スクランブラとを同時に使用する場合について説明した。しかし、サブオーディオ信号のみを使用する場合でも上記実施形態を適用できる。
【００９０】
上記実施形態では、反転スクランブラ１３と反転デスクランブラ２５とは、図２に示すような同じ構成のものとして説明した。しかし、送受信を行う場合、無線通信装置１は、反転スクランブラ１３と反転デスクランブラ２５とを共用することもできる。
【図面の簡単な説明】
【００９１】
【図１】本発明の実施形態に係る無線通信装置の構成を示すブロック図である。
【図２】図１に示す反転スクランブラ、反転デスクランブラの構成を示す図である。
【図３】図１に示すサブオーディオ信号検出器の構成を示すブロック図である。
【図４】ＬＴＲを例として、図３に示すサブオーディオ信号検出部の処理を示す図であり、（ａ）は、ＬＴＲ波形、（ｂ）は、（ａ）のＡ部拡大図、（ｃ）は、図３に示すＬＰＦによって高い周波数がカットされた波形を示す。
【図５】図１に示す反転スクランブラ、サブオーディオ信号生成器、加算器の処理を示す図であり、（ａ）は、反転スクランブラに入力される信号、（ｂ）は、反転スクランブラの乗算器が出力した信号、（ｃ）は、反転スクランブラのＬＰＦが出力した信号、（ｄ）は、サブオーディオ信号生成器が生成したサブオーディオ信号、（ｅ）は、加算器が生成した信号としてサブオーディオ信号が重畳した信号を示す。
【図６】各部の信号のスペクトラム特性を示す図であり、（ａ）は、ＡＤＣが出力した信号、（ｂ）は、ＬＰＦによって帯域制限が行われた信号、（ｃ）は、サブオーディオ信号再生成部が再生成した信号、（ｄ）は、遅延器によって遅延された信号、（ｅ）は、減算器によって遅延器が出力した信号からサブオーディオ信号を差し引いた信号の各スペクトラム特性を示す。
【図７】反転デスクランブラの処理を示す図であり、（ａ）は、反転デスクランブラの乗算器が出力した信号、（ｂ）は、反転デスクランブラ内のＬＰＦが出力した信号を示す。
【図８】従来の無線通信装置の秘話通信方法を示す図であり、（ａ）は、入力された音声信号、（ｂ）は、出力信号、（ｃ）は、無線通信装置の送信部が生成したＤＳＢの信号、（ｄ）は、入力した音声信号のスペクトラムを反転させた信号の各スペクトラム特性を示す。
【図９】従来の無線通信装置の受信部のスペクトラム特性を示す図であり、（ａ）は、再度振幅変調を行ったＤＳＢの信号、（ｂ）は、再度周波数反転させた信号の各スペクトラム特性を示す。
【図１０】従来の無線通信装置のサブオーディオ信号を重畳させた場合の各部のスペクトラム特性を示す図であり、（ａ）は、サブオーディオ信号の帯域と音声信号の帯域とが重なった場合のスペクトラム特性、（ｂ）は、周波数反転スクランブルを行った信号にサブオーディオ信号を重畳させた場合のスペクトラム特性、（ｃ）は、出力された音声のスペクトラム特性を示す。
【符号の説明】
【００９２】
１  無線通信装置
１３  反転スクランブラ
１４  サブオーディオ信号生成器
２０  復調回路
２１  ＡＤコンバータ
２２  サブオーディオ信号検出器
２２ａ  ＬＰＦ
２２ｂ  サブオーディオ信号再生成部
２３  遅延器
２４  減算器
２５  反転デスクランブラ
【図１】
2009246430.tif 000003
【図２】
2009246430.tif 000004
【図３】
2009246430.tif 000005
【図４】
2009246430.tif 000006
【図５】
2009246430.tif 000007
【図６】
2009246430.tif 000008
【図７】
2009246430.tif 000009
【図８】
2009246430.tif 000010
【図９】
2009246430.tif 000011
【図１０】
2009246430.tif 000012